(57)【要約】【課題】携帯型移動通信機器におけるスピーカを他の部品との関係で適当な位置に配置でき、携帯型移動通信機器内のスペース効率を考慮に入れて要求される放音位置にスピーカからの出力音を導くことができ、スピーカを小型化できる。【解決手段】アンテナ２とスピーカ３とを備える携帯型移動通信機器１において、アンテナ収納部４に沿って内壁３０によって形成されるホーン状空間を形成し、このホーン状空間の入力端３０ａにスピーカ３を配置し、開放端３０に放音口３１を形成した。【選択図】　　　　図１
2004128571.tif 000002
【特許請求の範囲】
【請求項１】
アンテナ収納部とスピーカを備えた携帯型移動通信機器において、前記アンテナ収納部に沿って、入力端から開放端に向けて断面が徐々に大きくなるホーン状空間を形成し、該ホーン状空間の入力端に前記スピーカを配置したことを特徴とする携帯型移動通信機器。
【請求項２】
前記入力端における喉部分開口面積を前記スピーカの有効振動面積より小さくしたことを特徴とする請求項１記載の携帯型移動通信機器。
【請求項３】
前記アンテナ収納部内にアンテナを摺動自在に収納する摺動部を設け、該摺動部を前記ホーン状空間における音の伝搬方向に対してほぼ平行に配置することを特徴とする請求項１記載の携帯型移動通信機器。
【請求項４】
前記アンテナはロッドアンテナ部を有し、前記摺動部は前記ロッドアンテナ部を摺動自在に収納するパイプからなることを特徴とする請求項３記載の携帯型移動通信機器。
【請求項５】
前記摺動部は、前記ホーン状空間内で該空間の内壁から離間して配置されることを特徴とする請求項３又は４に記載の携帯型移動通信機器。
【請求項６】
前記摺動部は、前記ホーン状空間の内壁と接触して配置されるか又は該内壁と一体成形して配置されることを特徴とする請求項３又は４に記載の携帯型移動通信機器。
【発明の詳細な説明】
【０００１】
【発明の属する技術分野】
本発明は、携帯型移動通信機器に関するものである。
【０００２】
【従来の技術】
携帯型移動通信機器は、携帯電話，携帯情報端末（ＰＤＡ），携帯型ナビゲーション装置，携帯ラジオ，携帯テレビジョン等として広く普及している。この携帯型移動通信機器は、無線通信を行うことを基本構成としていることからアンテナを備えており、このアンテナを非使用時又は受信待機時に機器内に収納するためにアンテナ収納部を備えている。また、この種の携帯移動通信機器は着信音又は受信情報を音として出力するためにスピーカを備えている。
【０００３】
このような携帯型移動通信機器は携帯性を向上させるために機器の小型・軽量化が主要な課題となっているが、機器内部のスペースにおいてスピーカの専有するスペースが大きいことが問題視されており、スピーカの配置を工夫してこのスペース問題を解消することが考えられている。例えば、以下に示す特許文献１においては、スピーカを表示部の背面に重ねて配置することで機器の長手方向において省スペース化を図り、このスピーカから出力される音を導音部を介して必要な放音位置に導くことが提案されている。
【０００４】
【特許文献１】
特開平９−３２１６５０号公報
【０００５】
【発明が解決しようとする課題】
しかしながら、前述のような従来技術によると、機器の長手方向に関しては省スペース化が達成できるが、機器の厚さが増すことになり本質的な問題解決にはなっていない。また、導音部によって音を導く構造にしていながら、導音部の伝搬特性に何ら工夫がなされていないので、伝搬過程で音の損失が生じて放音量が低下することがあり、これに対処するためにはスピーカを逆に大型化する必要があるという問題がある。また、導音部は音を伝達させるための空間であるが、このような空間を機器内に設けることで機器内のスペース効率が低下するという問題もある。
【０００６】
本発明は、このような問題に対処することを課題の一例とするものである。すなわち、携帯型移動通信機器におけるスピーカを他の部品との関係で適当な位置に配置できること、携帯型移動通信機器内のスペース効率を考慮に入れて要求される放音位置にスピーカからの出力音を導くことができること、スピーカを小型化できること等が本発明の目的となる。
【０００７】
【課題を解決するための手段】
このような目的を達成するために、本発明による携帯型移動通信機器は、以下の独立請求項に係る特徴を少なくとも具備するものである。
【０００８】
請求項１に係る発明であって、アンテナ収納部とスピーカを備えた携帯型移動通信機器において、前記アンテナ収納部に沿って、入力端から開放端に向けて断面が徐々に大きくなるホーン状空間を形成し、該ホーン状空間の入力端に前記スピーカを配置したことを特徴とする。
【０００９】
【発明の実施の形態】
以下、本発明の実施形態を説明する。第１には、アンテナ収納部とスピーカを備えた携帯型移動通信機器において、アンテナ収納部に沿って、スピーカが配置される入力端から放音口が配置される開放端に向けて断面が徐々に大きくなるホーン状空間を形成したものである。これによると、スピーカからの出力音はホーン状空間を介して放音口に導かれるので、スピーカの配置を他の部品との干渉が少ない位置に配置することが可能になる。また、入力端から開放端に向けて断面が徐々に大きくなるホーン状空間に沿って音が伝わって放音口に導かれるので、スピーカの能率を向上させることが可能になり、それによって、スピーカの小型化、電力入力の省力化、消費電力の低下等が可能になる。また、アンテナ収納部に沿ってホーン状空間を形成しているので、従来から空間を形成していたアンテナ収納部周辺を有効に活用することができ、携帯型移動通信機器内のスペース効率を低下させることがない。
【００１０】
第２には、前述の携帯型移動通信機器において、ホーン状空間の入力端における喉部分開口面積をそこに配置されるスピーカの有効振動面積より小さくしたものである。これによると、入力端の喉部分を絞ってホーン状空間に音を入力することができるので、スピーカの能率を著しく向上させることができる。これによって、前述の作用に加えて、更なるスピーカの小型化、電力入力の省力化、消費電力の低下等を達成することができる。
【００１１】
第３には、前述の携帯型移動通信機器において、アンテナ収納部内にアンテナを摺動自在に収納する摺動部を設け、該摺動部を前記ホーン状空間における音の伝搬方向に対してほぼ平行に配置することを特徴とする。これによると、ホーン状空間は摺動部に相当する長さを有することになり、また、ホーン状空間の断面に対して垂直に摺動部が配置されることになって摺動部が音の伝達の障害になることを最小限に抑えることができる。したがって、前述の作用と併せて、ホーンの効果を確実に得ることができると共に有効にスピーカからの音を伝達することができる。
【００１２】
第４には、前述の携帯型移動通信機器において、アンテナはロッドアンテナ部を有し、前記摺動部は前記ロッドアンテナ部を摺動自在に収納するパイプからなることを特徴とする。この実施形態は第３の実施形態を更に具体化するものであり、ロッドアンテナの長さに相当するホーン状空間の長さが確保できると共に、パイプをホーン状空間の断面に対して垂直に配置することによって摺動部が音の伝達の障害になることを最小限に抑えることができ、前述の作用と同様に、ホーンの効果を確実に得ることができると共に有効にスピーカからの音を伝達することができる。
【００１３】
第５には、前記摺動部は、前記ホーン状空間内で該空間の内壁から離間して配置されることを特徴とし、第６には、前記摺動部は、前記ホーン状空間の内壁と接触して配置されるか又は該内壁と一体成形して配置されることを特徴とする。これらの特徴によると、ホーン状空間内で音の伝搬に有効な空間が確保されることになるので、前述の作用と同様に、有効にスピーカからの音を伝達することができる。
【００１４】
【実施例】
以下に、本発明の実施例について、図面を参照しながら説明する。以下に説明するものは本発明の一実施例であり、本発明はこれに限定されるものではない。
【００１５】
図１は、本発明の実施例に係る携帯型移動通信機器の全体構成を示す説明図であり、同図（ａ）は正面部分断面図、同図（ｂ）は側面部分断面図、同図（ｃ）は平面図を示している。携帯型移動通信機器１には、アンテナ２とスピーカ３とが備えられている。また、携帯型移動通信機器１には、アンテナ２を非使用時又は受信待機時に収納するためのアンテナ収納部４が形成されている。
【００１６】
ここでアンテナ２は、アンテナトップ２０内に形成されるコイルアンテナ部２１と絶縁連結部２２を介して基端側に延びるロッドアンテナ部２３とからなり、コイルアンテナ部２１又はロッドアンテナ部２３の基端部にはそれぞれ接触端子部２１ａ，２３ａが設けられている。そして、アンテナ収納部４の上方には、接触端子を兼ねるホルダ部２４が設けられており、非使用時又は受信待機時には、同図（ａ）に示されるように、コイルアンテナ部２１の接触端子２１ａがホルダ部２４内に係止され、情報受信時には、アンテナ２が引き出されてロッドアンテナ部２３の接触端子部２３ａがホルダ部２４に係止されることになる。また、アンテナ収納部４には、アンテナ２を摺動自在に収納する摺動部となる摺動パイプ２５が設けられており、この摺動パイプに沿ってアンテナ２の収納又は引き出しを案内できるようにしている。
【００１７】
そして、このようなアンテナ収納部２に沿って、内壁３０によってホーン状空間が形成されている。つまり、このホーン状空間はアンテナ収納部４の周辺空間を兼用して形成されている。このホーン状空間は入力端３０ａから開放端３０ｂに向けて断面が徐々に大きくなるように形成されており、入力端３０ａに臨む位置にスピーカ３が形成されると共に、開放端３０に臨む位置に放音口３１が形成されている。
【００１８】
図２は、前述したホーン状空間の断面を説明する説明図である。同図（ａ）は図１におけるａ１−ａ２断面図、同図（ｂ）は図１におけるｂ１−ｂ２断面図、同図（ｃ）は図１におけるｃ１−ｃ２断面図、同図（ｄ）は図１におけるｄ１−ｄ２断面図、同図（ｅ）は図１におけるｅ１−ｅ２断面図を示している。
【００１９】
これらの図から明らかなように、ホーン状空間は、入力端３０ａから出力端３０ｂに向けて面積が徐々に拡大するように形成されている。その断面形状は、同図の例では、入力端３０ａ近傍では円形（同図（ｅ）参照）であり、徐々に長方形に拡大するものであるが、これに限らず、円形から楕円形に拡大するものや、四角形又は三角形の形状で徐々に拡大するもの等、様々な形状であっても良い。この断面形状を扁平に拡大させることで、携帯型移動通信機器１の厚みが増すことを回避できる。
【００２０】
また、この実施例では、内壁３０により形成されるホーン状空間内に配置されるアンテナ２のロッドアンテナ部２３及び摺動パイプ２５は、内壁３０から離間して配置されており、また、ホーン状空間における音の伝搬方向に対してほぼ平行に配置されている。
【００２１】
図３は、内壁３０によって形成されるホーン状空間における入力端３０ａの構造を示す説明図である。この実施例においては、入力端３０ａは喉部分３０ａ１を備えており、この喉部分３０ａ１の開口面積Ｓｏをスピーカ３の有効振動面積Ｓｅより小さく形成している。これによって、スピーカ３から出力される音が喉部分で一旦絞り込まれてホーン状空間に放射されることになる。ここで、空気の密度をρ、音速をｃとすると、喉部分３０ａ１での機械インピーダンスＺｏは式（１）となる。また、面積Ｓｅの振動板への負荷インピーダンスＺｅは式（２）となる。ここで、Ｓｏ＜Ｓｅとすることで、負荷インピーダンスＺｅは大きくなり、変換効率を向上させることができる。
【００２２】
【数１】
Ｚｏ＝ρｃＳｏ　　　　　　　　　　　　（１）
【数２】
Ｚｅ＝ρｃＳｏ（Ｓｅ／Ｓｏ）２　　　　（２）
【００２３】
このような実施例によると、携帯型移動通信機器１の下方に配置されたスピーカ３からの出力音は、喉部分３０ａ１を通って入力端３０ａからホーン状空間内に入力される。そして、入力された出力音は、摺動パイプ２５の周囲に形成されたホーン状空間を伝搬して、開口端３０ｂに形成された放音口３１から放射されることになる。
【００２４】
したがって、喉部分で高効率の変換を受けた出力音がホーン状空間内で能率良く伝搬され、断面が拡大された開放端から放射されることになり、実質的に拡大された面積の振動板を備えたスピーカを開放端位置に配置したものと同等の効果が得られる。また、アンテナ収納部４の摺動パイプ２５に沿ってホーン状空間が形成されるので、摺動パイプの長さに相当する有効長を有するホーンを形成することが可能になる。
【００２５】
図４及び図５は、本発明の他の実施例を示す説明図であって、前述した図２（ｂ）に対応した図を示している。図４の実施例では、摺動パイプ２５を内壁３０に接触して配置しており、図５の実施例では、内壁３０と一体成形で摺動パイプに相当する部位２５Ａを形成している。これらの実施例においても、前述の実施例と同様にアンテナ収納部４に沿ってホーン状空間が形成されることになるので、有効なホーン長が得られ、スピーカの能率を向上させることができる。
【００２６】
以上説明したような本発明の各実施例は、以下の作用効果を奏することが可能になる。すなわち、スピーカ３からの出力音はホーン状空間を介して放音口３１に導かれるので、スピーカ３の配置を他の部品との干渉が少ない機器の下部位置に配置することが可能になる。また、入力端３０ａから開放端３０ｂに向けて断面が徐々に大きくなるホーン状空間に沿って音が伝わって放音口３１に導かれるので、スピーカ３の能率を向上させることが可能になり、それによって、スピーカ３の小型化、電力入力の省力化、消費電力の低下等が可能になる。また、アンテナ収納部４に沿ってホーン状空間を形成しているので、従来から空間を形成していたアンテナ収納部周辺を有効に活用することができ、携帯型移動通信機器１内のスペース効率を低下させることがない。更には、ホーン状空間及び喉部分の存在によりスピーカ２の振動板に音響負荷が大きく係るので、振幅が抑えられて断線等の故障を減らすことができるという副次的な効果も得られる。
【図面の簡単な説明】
【図１】本発明の実施例に係る携帯型移動通信機器の全体構成を示す説明図である。
【図２】本発明の実施例に係る携帯型移動通信機器におけるホーン状空間の断面を説明する説明図である。
【図３】本発明の実施例に係る携帯型移動通信機器における内壁によって形成されるホーン状空間の入力端構造を示す説明図である。
【図４】本発明の他の実施例を示す説明図である。
【図５】本発明の他の実施例を示す説明図である。
【符号の説明】
１　携帯型移動通信機器
２　　アンテナ
２０　アンテナトップ
２１　コイルアンテナ部
２２　絶縁連結部
２３　ロッドアンテナ部
２４　ホルダ部
２５　摺動パイプ
３　スピーカ
３０　内壁
３０ａ　入力端
３０ａ１　喉部分
３０ｂ　開放端
３１　放音口
４　アンテナ収納部
【図１】
2004128571.tif 000003
【図２】
2004128571.tif 000004
【図３】
2004128571.tif 000005
【図４】
2004128571.tif 000006
【図５】
2004128571.tif 000007